(57)【要約】      （修正有）【課題】モニタリングシステムにおいて不適切なワイヤリングまたは構成を検知するためのシステムおよび方法を提供する。【解決手段】不適切なワイヤリングまたは構成は、トランスジューサ１６１が接続された第１のセットのワイヤリングターミナル２１１から受信される電気信号の電気特性（たとえば、電圧または電流）の値を測定すること、およびその値を、トランスジューサ１６１がモニタリングユニット１１０によって監視されるように構成されたタイプであるならば、予期されるであろう値に基づく電気特性の所定の値または値域と比較すること、によって検知される。【選択図】図１
2013195425.tif 000002
【特許請求の範囲】
【請求項１】
モニタリングシステムにおいて不適切なワイヤリングまたは構成を検知するための検知システムであって、
入力／出力モジュールの第１の入力チャネルのワイヤリングターミナルブロックの第１のセットのワイヤリングターミナルに配線された第１のトランスジューサと、
前記第１のトランスジューサを監視するように構成されたモニタリングユニットであって、前記モニタリングユニットの構成が、前記入力／出力モジュールの第１のチャネルで監視されることになるタイプのトランスジューサを備える、モニタリングユニットと、
前記第１のセットのワイヤリングターミナルから受信された電気信号の電気特性の値を測定するためのワイヤリング検知モジュールと、
前記第１のセットのワイヤリングターミナルから受信された前記電気信号の前記電気特性の前記値を前記電気特性の所定の値または値域と比較するためのマイクロプロセッサとを備え、
前記電気特性の前記所定の値または値域が、前記第１のトランスジューサが前記入力／出力モジュールの前記第１のチャネル上で前記モニタリングユニットによって監視されるように構成されたタイプのトランスジューサであるならば前記第１のセットのワイヤリングターミナルから受信される電気信号に予期されるであろう値または値域に基づく、検知システム。
【請求項２】
前記ワイヤリング検知モジュールが、
前記第１のセットのワイヤリングターミナルから前記電気信号を受信するためのワイヤリング検知回路であって、前記入力／出力モジュールの前記第１の入力チャネルの前記ワイヤリングターミナルブロックの前記第１のセットのワイヤリングターミナルに接続された、ワイヤリング検知回路と、
前記第１のセットのワイヤリングターミナルから受信された前記電気信号の前記電気特性の前記値を測定するためのワイヤリング検知センサと
を備える、請求項１記載の検知システム。
【請求項３】
前記ワイヤリング検知回路が、複数のレジスタを備える、請求項２記載の検知システム。
【請求項４】
前記ワイヤリング検知センサが、アナログ−デジタル変換器を備える、請求項２記載の検知システム。
【請求項５】
前記第１のセットのワイヤリングターミナルから受信される前記電気信号の前記電気特性が電圧である、請求項１記載の検知システム。
【請求項６】
前記第１のセットのワイヤリングターミナルから受信される前記電気信号の前記電気特性が電流である、請求項１記載の検知システム。
【請求項７】
前記トランスジューサが、近接トランスジューサ、速度トランスジューサ、および地震性トランスジューサからなるグループから選択される、請求項１記載の検知システム。
【請求項８】
マイクロプロセッサが、前記モニタリングユニットの部分である、請求項１記載の検知システム。
【請求項９】
マイクロプロセッサが、前記入力／出力モジュールの部分である、請求項１記載の検知システム。
【請求項１０】
前記電気特性の前記所定の値または値域を記憶するための非揮発性メモリをさらに備える、請求項１記載の検知システム。
【請求項１１】
前記モニタリングユニットが、前記第１のセットのワイヤリングターミナルから受信された前記電気信号の前記電気特性の前記値が前記電気特性の所定の値と同等でないまたは前記電気特性の所定の値域外である場合に警報を表示するためのディスプレイをさらに備える、請求項１記載の検知システム。
【請求項１２】
前記モニタリングユニットが、前記第１のセットのワイヤリングターミナルから受信された前記電気信号の前記電気特性の前記値が前記電気特性の所定の値と同等でないまたは前記電気特性の所定の値域外である場合に警報を生成するための可聴デバイスをさらに備える、請求項１記載の検知システム。
【請求項１３】
前記モニタリングユニットが、前記第１のセットのワイヤリングターミナルから受信された前記電気信号の前記電気特性の前記値が前記電気特性の所定の値と同等であるまたは前記電気特性の所定の値域内にある場合にワイヤリング確認指示を表示するためのディスプレイをさらに備える、請求項１記載の検知システム。
【請求項１４】
入力／出力モジュールの第１の入力チャネルのワイヤリングターミナルブロックの第１のセットのワイヤリングターミナルに配線された第１のトランスジューサを有するモニタリングシステムにおいて不適切なワイヤリングまたは構成を検知するための方法であって、
前記第１のトランスジューサを監視するためのモニタリングユニットを構成するステップであって、前記モニタリングユニットの構成が、前記入力／出力モジュールの前記第１のチャネルで監視されることになるタイプのトランスジューサを備える、ステップと、
前記第１のセットのワイヤリングターミナルから受信された前記電気信号の前記電気特性の値を測定するステップと、
前記第１のセットのワイヤリングターミナルから受信された前記電気信号の前記電気特性の前記値を前記電気特性の所定の値または値域と比較するステップであって、前記電気特性の前記所定の値または値域が、前記第１のトランスジューサが前記入力／出力モジュールの前記第１のチャネル上で前記モニタリングユニットによって監視されるように構成されたタイプのトランスジューサであるならば前記第１のセットのワイヤリングターミナルから受信される前記電気信号に予期されるであろう値または値域に基づく、ステップと
を備える、方法。
【請求項１５】
前記第１のセットのワイヤリングターミナルから受信された前記電気信号の前記電気特性の前記値が前記電気特性の所定の値と同等でないまたは前記電気特性の所定の値域外である場合に視覚または可聴の警報を生成するステップをさらに備える、請求項１４記載の方法。
【請求項１６】
前記第１のセットのワイヤリングターミナルから受信された前記電気信号の前記電気特性の前記値がその前記電気特性の所定の値と同等であるまたは前記電気特性の所定の値域内にある場合に、ワイヤリング確認指示を生成するステップをさらに備える、請求項１４記載の方法。
【請求項１７】
前記第１のセットのワイヤリングターミナルから受信される前記電気信号の前記電気特性が電圧である、請求項１４記載の方法。
【請求項１８】
前記第１のセットのワイヤリングターミナルから受信される前記電気信号の前記電気特性が電流である、請求項１４記載の方法。
【請求項１９】
前記トランスジューサが、近接トランスジューサ、速度トランスジューサ、および地震性トランスジューサからなるグループから選択される、請求項１４記載の方法。
【発明の詳細な説明】
【技術分野】
【０００１】
本明細書で開示される主題は、モニタリングシステムにおいて不適切なワイヤリングまたは構成を検知するためのシステムおよび方法に関する。
【背景技術】
【０００２】
工業製造工場は、資産の状態を監視するための様々なタイプのセンサを使用する。たとえば、資産のパラメータを監視するように設計されたトランスジューサ（たとえば、地震性トランスジューサ、近接トランスジューサ、速度トランスジューサなど）は、資産に結合され、モニタリングユニットと通信することができる。トランスジューサによって提供される情報を使用し、モニタリングユニットは、その資産が好ましくない状態にあるかを判定することができる。
【０００３】
一部の設置では、トランスジューサは、入力／出力（ＩＯ）モジュール上の入力チャネルを介してモニタリングユニットと通信する。各トランスジューサは、その入力チャネルのためのワイヤリングターミナルブロック上のワイヤリングターミナルに固定されたワイヤによってＩＯモジュールの入力チャネルに接続される。入力チャネルのためのいくつかのワイヤリングターミナルブロックは、異なるタイプのトランスジューサを収容することができるワイヤリングターミナルを有するので、通常は、特定のタイプのトランスジューサからのワイヤは、特定のワイヤリングターミナルに配線される必要がある。モニタリングユニットは、その場合、その入力チャネル上のその特定のタイプのトランスジューサを監視するように構成される。命令は、通常は、ワイヤリングターミナルブロック上の異なるワイヤリングターミナルに異なるトランスジューサタイプを配線するために提供されるが、技術者は、しばしば、トランスジューサからのワイヤリングを不適切に接続する。たとえば、速度トランスジューサからのワイヤが、近接トランスジューサ専用であったワイヤリングターミナルに不適切に固定されることがある。モニタリングユニットは、その技術者によって意図されたものとしての速度トランスジューサを監視するように構成されることになるが、代わりに近接トランスジューサを監視しているので、エラーが生じることになる。これらの不適切なワイヤリング接続は、かなりの期間にわたって検知されずにいることがある。
【０００４】
前述の詳解は、単に、一般的背景情報として提供され、特許請求される主題の範囲を判定する助けとして使用されるものではない。
【先行技術文献】
【特許文献】
【０００５】
【特許文献１】米国特許第７６０３５０１号明細書
【発明の概要】
【０００６】
モニタリングシステムにおいて不適切なワイヤリングまたは構成を検知するためのシステムおよび方法。不適切なワイヤリングまたは構成は、トランスジューサが接続された第１のセットのワイヤリングターミナルから受信される電気信号の電気特性の値（たとえば、電圧または電流）を測定すること、およびその値を、トランスジューサがモニタリングユニットによって監視されるように構成されたタイプであるならば電気信号に予期されるであろう値に基づく電気特性の所定の値または値域と比較すること、によって検知される。記載されるシステムおよび方法のいくつかの実施形態の実行で実現することができる利点は、設置過程においてトランスジューサの誤ったワイヤリングを早期に検知することによってトランスジューサモニタリングシステムの設置の速度および精度を上げることである。
【０００７】
一実施形態では、モニタリングシステム内で不適切なワイヤリングまたは構成を検知するための検知システムが、開示される。本検知システムは、入力／出力モジュールの第１の入力チャネルのワイヤリングターミナルブロックの第１のセットのワイヤリングターミナルに配線された第１のトランスジューサと、モニタリングユニットの構成が入力／出力モジュールの第１のチャネルで監視されることになるトランスジューサのタイプを備える、第１のトランスジューサを監視するように構成されたモニタリングユニットと、第１のセットのワイヤリングターミナルから受信される電気信号の電気特性の値を測定するためのワイヤリング検知モジュールと、第１のセットのワイヤリングターミナルから受信された電気信号の電気特性の値を電気特性の所定の値または値域と比較するためのマイクロプロセッサとを備え、電気特性の所定の値または値域が、第１のトランスジューサが入力／出力モジュールの第１のチャネル上でモニタリングユニットによって監視されるように構成されたタイプのトランスジューサであるならば第１のセットのワイヤリングターミナルから受信される電気信号に予期されるであろう値または値域に基づく。
【０００８】
もう１つの実施形態では、入力／出力モジュールの第１の入力チャネルのワイヤリングターミナルブロックの第１のセットのワイヤリングターミナルに配線された第１のトランスジューサを有するモニタリングシステムにおいて不適切なワイヤリングまたは構成を検知するための方法が開示される。本方法は、第１のトランスジューサを監視するためのモニタリングユニットを構成するステップであって、モニタリングユニットの構成が、入力／出力モジュールの第１のチャネルで監視されることになるトランスジューサのタイプを備える、ステップと、第１のセットのワイヤリングターミナルから受信された電気信号の電気特性の値を測定するステップと、第１のセットのワイヤリングターミナルから受信された電気信号の電気特性の値を電気特性の所定の値または値域と比較するステップであって、電気特性の所定の値または値域が、第１のトランスジューサが入力／出力モジュールの第１のチャネル上でモニタリングユニットによって監視されるように構成されたタイプのトランスジューサであるならば第１のセットのワイヤリングターミナルから受信された電気信号に予期されるであろう値または値域に基づく、ステップとを備える。
【０００９】
本発明の概要は、１つまたは複数の例示的実施形態にしたがって本明細書で開示される主題の概要を提供することのみを目的とし、特許請求の範囲を解釈するためのあるいは添付の特許請求の範囲によってのみ定義される本発明の範囲を定義または限定するための手引書の役割を果たさない。本概要は、簡略化された形で概念の例示的選択を紹介するために提供され、それは以下の詳細な説明でさらに説明される。本概要は、特許請求される主題の重要な特徴または本質的特徴を特定するものではなく、特許請求される主題の範囲を判断する助けとして使用されるものではない。特許請求される主題は、背景技術に示された任意のまたはすべての不利益を解決する実装に限定されない。
【００１０】
本発明の特徴が理解され得る形になるように、本発明の詳細な説明は、そのうちのいくつかが添付の図面に示された、ある一定の実施形態を参照して、行われ得る。しかし、これらの図面は、本発明のある一定の実施形態のみを示し、したがって、その範囲を限定するものとして考えられるべきではなく、本発明の範囲は他の同等に有効な実施形態を包含する。これらの図面は、必ずしも原寸に比例せず、本発明のある一定の実施形態の特徴を説明することに概して重点が置かれている。これらの図面で、同様の番号は、様々な図をとおして同様の部分を指すために使用される。したがって、本発明のさらなる理解のために、以下のような図面に関連して読まれて、以下の詳細な説明は参照され得る。
【図面の簡単な説明】
【００１１】
【図１】例示的モニタリングシステムの概略図である。
【図２】入力チャネルワイヤリングターミナルブロックを示す例示的入力／出力モジュールの裏面の平面図である。
【図３】入力／出力モジュールの第１の入力チャネルのワイヤリングターミナルブロックの１セットのワイヤリングターミナルに配線されたトランスジューサを有するモニタリングシステム内の不適切なワイヤリングまたは構成を検知するための例示的方法の流れ図である。
【発明を実施するための形態】
【００１２】
図１は、資産１０（たとえば、発電タービン、工業用ポンプ、処理装置など）を監視するための例示的モニタリングシステム１００の概略図である。モニタリングシステム１００は、第１のセクション１４０ａおよび第２のセクション１４０ｂを有するバス（ともにバス１４０と称される）を介してバックプレーン１２０を介して入力／出力（ＩＯ）モジュール２００と通信するモニタリングユニット１１０を収容するラック１６０を含む。一実施形態では、バス１４０は、シリアル周辺インターフェース（ＳＰＩ）バスである。一実施形態では、バス１４０は、データ入力線１４２（たとえば、ＭＯＳＩ（Ｍａｓｔｅｒ  Ｏｕｔ  Ｓｌａｖｅ  Ｉｎ））、単一デバイス選択線１４４、クロック線１４６、およびデータ出力線１４８（たとえば、ＭＩＳＯ（Ｍａｓｔｅｒ  Ｉｎ  Ｓｌａｖｅ  Ｏｕｔ））を含む。
【００１３】
ＩＯモジュール２００は、資産１０の動作を監視するために、資産１０に結合された複数のトランスジューサ（たとえば、第１のトランスジューサ１６１、第２のトランスジューサ１６２、第３のトランスジューサ１６３、および第４のトランスジューサ１６４）と通信する。モニタリングユニット１１０は、トランスジューサ１６１〜１６４によって監視されているパラメータに関する情報をユーザに提供するように構成される。モニタリングユニット１１０は、照らされたディスプレイ（たとえば、一連の発行ダイオード（ＬＥＤ））を備えることができ、および／または、液晶ディスプレイもしくはコンピュータ画面を備えることができる。モニタリングユニット１１０は、分析および保守が必要であると考えられるときに警報をトリガするためのマイクロプロセッサ１１２を含むことができる。
【００１４】
各々のトランスジューサ１６１〜１６４は、各々のトランスジューサ１６１〜１６４からのワイヤリング（たとえば、第１のトランスジューサのワイヤリング１７１、第２のトランスジューサのワイヤリング１７２、第３のトランスジューサのワイヤリング１７３、および第４のトランスジューサのワイヤリング１７４）を使用して、ＩＯモジュールの後方の入力チャネルワイヤリングターミナルブロック（たとえば、第１の入力チャネルワイヤリングターミナルブロック２１０、第２の入力チャネルワイヤリングターミナルブロック２２０、第３の入力チャネルワイヤリングターミナルブロック２３０、および第４の入力チャネルワイヤリングターミナルブロック２４０）に接続される。異なるタイプのトランスジューサ１６１〜１６４がモニタリングシステム１００で使用され得る。たとえば、近接トランスジューサは、トランスジューサと機械または構成要素の間の距離を測定することによって、資産または資産の構成要素の動きを監視するために使用することができる。速度トランスジューサ／加速度計は、機械構成要素の速度を感知するために使用することができる。同様に、地震性トランスジューサは、振動運動を測定することによって、機械の振動を監視するために使用することができる。一実施形態では、２つの異なる地震性トランスジューサタイプが使用される。それらの２つの地震性トランスジューサタイプは、１つの地震性トランスジューサタイプはバリアフリーであり、もう１つの地震性トランスジューサタイプは定電圧ダイオードなどの電気的バリアを有するという点で、異なり得る。
【００１５】
図２は、入力チャネルワイヤリングターミナルブロック２１０、２２０、２３０、２４０を示す、例示的ＩＯモジュール２００の裏面の平面図である。一実施形態では、入力チャネルワイヤリングターミナルブロック２１０、２２０、２３０、２４０は、特定のタイプのトランスジューサを配線するための指定されたターミナルを有する。特定のセットのワイヤリングターミナルが、複数のトランスジューサタイプへの配線のために指定され得る（たとえば、複数のタイプのトランスジューサのための共同使用されるターミナルなど）。たとえば、第１の入力チャネルワイヤリングターミナルブロック２１０は、第１のトランスジューサタイプのワイヤリングターミナル２１１、第２のトランスジューサタイプのワイヤリングターミナル２１２、第３のトランスジューサタイプのワイヤリングターミナル２１３、および第４のトランスジューサタイプのワイヤリングターミナル２１４を有する。同様に、第２の入力チャネルワイヤリングターミナルブロック２２０は、第１のトランスジューサタイプのワイヤリングターミナル２２１、第２のトランスジューサタイプのワイヤリングターミナル２２２、第３のトランスジューサタイプのワイヤリングターミナル２２３、および第４のトランスジューサタイプのワイヤリングターミナル２２４を有する。同じように、第３の入力チャネルワイヤリングターミナルブロック２３０は、第１のトランスジューサタイプのワイヤリングターミナル２３１、第２のトランスジューサタイプのワイヤリングターミナル２３２、第３のトランスジューサタイプのワイヤリングターミナル２３３、および第４のトランスジューサタイプのワイヤリングターミナル２３４を有する。第４の入力チャネルワイヤリングターミナルブロック２４０は、第１のトランスジューサタイプのワイヤリングターミナル２４１、第２のトランスジューサタイプのワイヤリングターミナル２４２、第３のトランスジューサタイプのワイヤリングターミナル２４３、および第４のトランスジューサタイプのワイヤリングターミナル２４４を有する。
【００１６】
トランスジューサ１６１〜１６４およびＩＯモジュール２００へのトランスジューサのワイヤリング１７１〜１７４を設置する技術者は、入力チャネルワイヤリングターミナルブロック２１０、２２０、２３０、２４０に異なるタイプのトランスジューサ１６１〜１６４を配線するための特定のワイヤリングターミナルを識別する命令を提供され得る。たとえば、第１のトランスジューサ１６１が第２のトランスジューサタイプ（たとえば、速度トランスジューサ）である場合、その命令は、技術者に第１の入力チャネルワイヤリングターミナルブロック２１０の第２のトランスジューサタイプのワイヤリングターミナル２１２に第１のトランスジューサのワイヤリング１７１を配線するように指図することができる。同様に、そして図２に示すように、第２のトランスジューサ１６２からの第２のトランスジューサのワイヤリング１７２は、第２の入力チャネルワイヤリングターミナルブロック２２０の第１のトランスジューサタイプ（たとえば、近接トランスジューサ）のワイヤリングターミナル２２１に配線され、第３のトランスジューサ１６３からの第３のトランスジューサのワイヤリング１７３は、第３の入力チャネルワイヤリングターミナルブロック２３０の第４のトランスジューサタイプ（たとえば、地震性トランスジューサ−バリア）のワイヤリングターミナル２３４に配線され、そして、第４のトランスジューサ１６４からの第４のトランスジューサのワイヤリング１７４は、第４の入力チャネルワイヤリングターミナルブロック２４０の第２のトランスジューサタイプ（たとえば、速度トランスジューサ）のワイヤリングターミナル２４２に配線される。一実施形態では、入力チャネルターミナルブロック２１０、２２０、２３０、２４０上の残りのターミナルは、接続されないままにすることができる。入力チャネルワイヤリングターミナルブロック２１０、２２０、２３０、２４０のうちのいくつかはトランスジューサに配線されなくてもよく、いくつかは同じタイプのトランスジューサに配線され得ることが、理解されよう。
【００１７】
モニタリングユニット１１０は、入力チャネルワイヤリングターミナルブロック２１０、２２０、２３０、２４０に配線された特定のタイプのトランスジューサ１６１〜１６４を監視するように構成されてもよい。たとえば、モニタリングユニット１１０のマイクロプロセッサ１１２は、第２のタイプのトランスジューサ（たとえば、速度トランスジューサ）として、第１の入力チャネル上で第１のトランスジューサ１６１を監視するように構成されてもよい。モニタ１１０が構成されたとき、第１のトランスジューサ１６１は、実際に、第２のタイプのトランスジューサ（たとえば、速度トランスジューサ）であり、そして、技術者が、命令されたように第１の入力チャネルワイヤリングターミナルブロック２１０上の第２のトランスジューサタイプのターミナル２１２に第１のトランスジューサのワイヤリング１７１を適切に配線した場合、そのとき、モニタリングシステム１００は、適切に機能するはずである。しかし、モニタユニット１１０が構成されたときに、第１のトランスジューサ１６１は、第２のタイプのトランスジューサ（たとえば、速度トランスジューサ）であるが、技術者が、第１の入力チャネルワイヤリングターミナルブロック２１０上の第１のトランスジューサタイプのターミナル２１１（第１のタイプのトランスジューサ（たとえば、近接トランスジューサ）のために構成されたターミナル）に第１のトランスジューサのワイヤリング１７１を不適切に配線した場合、モニタリングシステム１００は、適切に機能しないことになる。同様に、モニタリングユニット１１０が第１のタイプのトランスジューサ（たとえば、近接トランスジューサ）として第１の入力チャネル上の第１のトランスジューサ１６１を監視するように不適切に構成されたが、第１のトランスジューサ１６１が実際に第２のタイプのトランスジューサ（たとえば、速度トランスジューサ）である場合、たとえ技術者が第１の入力チャネルワイヤリングターミナルブロック２１０上の第２のトランスジューサタイプのターミナル２１２に第２のタイプのトランスジューサの第１のトランスジューサのワイヤリング１７１を適切に配線しても、モニタリングシステム１００は、適切に機能しないことになる。任意のワイヤリングまたは構成エラーを検知するために、図１に示す例示的ＩＯモジュール２００は、ワイヤリング検知モジュール２５０を備える。
【００１８】
一実施形態では、入力チャネルワイヤリングターミナルブロック２１０、２２０、２３０、２４０のうちの１つまたは複数が、ワイヤリング検知モジュール２５０のワイヤリング検知回路２５２に接続される。図１に示すように、第１の入力チャネルワイヤリングターミナルブロック２１０はワイヤリング検知回路２５２に接続され、第１のトランスジューサタイプ回路２６１は第１のトランスジューサタイプのワイヤリングターミナル２１１に接続され、第２のトランスジューサタイプ回路２６２は第２のトランスジューサタイプのワイヤリングターミナル２１２に接続され、第３のトランスジューサタイプ回路２６３は第３のトランスジューサタイプのワイヤリングターミナル２１３に接続され、そして、第４のトランスジューサタイプ回路２６４は第４のトランスジューサタイプのワイヤリングターミナル２１４に接続される。ワイヤリング検知モジュールのワイヤリング検知センサ２５４は、トランスジューサタイプのワイヤリングターミナル２１１〜２１４からワイヤリング検知回路２５２によって受信される電気信号の１つまたは複数の電気特性（たとえば、電圧または電流）の値を測定する。たとえば、ワイヤリング検知センサ２５４は、図１および図２に示すように、そこに第１のトランスジューサ１６１の第１のトランスジューサのワイヤリング１７１が配線された第１の入力チャネルワイヤリングターミナルブロック２１０のワイヤリングターミナル２１１〜２１４からワイヤリング検知回路２５２によって受信される電気信号のワイヤリングターミナル値（電圧または電流）を測定することができる。これらの測定されたワイヤリングターミナル値は、第１の入力チャネルのワイヤリングおよび構成が適切かどうかを検知するためのモニタリングユニット１１０のマイクロプロセッサ１１２に送信され得る。
【００１９】
ワイヤリング検知モジュール２５０（ワイヤリング検知回路２５２およびワイヤリング検知センサ２５４を含む）は、単一構成要素でもよく、または複数の構成要素からなってもよい。そのような構成要素の例は、レジスタ、アナログ−デジタル（ＡＤ）変換器、複合プログラム可能論理デバイス（ＣＰＬＤ）、揮発性および／または非揮発性メモリなどのストレージデバイス、ならびに、電圧、電流、電圧および電流の組合せ、または別の電気特性を感知するためのセンサを含む。一実施形態では、ワイヤリング検知回路２５２は、入力チャネルワイヤリングターミナルと直列または並列（あるいはその両方の組合せ）で複数のレジスタを備えることができ、一方、ワイヤリング検知センサ２５４は、アナログで測定されたワイヤリングターミナル値をモニタリングユニット１１０のマイクロプロセッサ１１２への送信のためのデジタル形式に変換するためのＡＤ変換器を備えることができる。
【００２０】
モニタリングユニット１１０のマイクロプロセッサ１１２は、トランスジューサのワイヤリングおよび構成が適切ならば予期されるであろう所定のワイヤリングターミナル値または値域と、測定されたワイヤリングターミナル値を比較することができる。たとえば、モニタリングユニット１１０のマイクロプロセッサ１１２は、第２のタイプのトランスジューサ（たとえば、速度トランスジューサ）としての第１の入力チャネル上の第１のトランスジューサ１６１を監視するように構成され得る。適切に配線されたならば、それらのワイヤリングターミナルのすべてがトランスジューサに配線されるとは限らないはずであるので、この構成では、マイクロプロセッサ１１２は、配線されていないターミナルから予期される所定のワイヤリングターミナル値の範囲と同等のまたはそれ以内の第１の入力チャネルワイヤリングターミナルブロック２１０の第１のトランスジューサタイプのワイヤリングターミナル２１１、第３のトランスジューサタイプのワイヤリングターミナル２１３、および第４のトランスジューサタイプのワイヤリングターミナル２１４からの測定されたワイヤリングターミナル電圧または電流値を受信することを予期する。マイクロプロセッサ１１２は、適切に配線されたならば第２のタイプのトランスジューサに配線されたワイヤリングターミナルから予期される所定のワイヤリングターミナル値の範囲と同等のまたはそれ以内の第１の入力チャネルワイヤリングターミナルブロック２１０の第２のトランスジューサタイプのワイヤリングターミナル２１２からの測定されたワイヤリングターミナル電圧または電流値を受信することを予期する。所定のワイヤリングターミナル値は、モニタリングユニット１１０内またはＩＯモジュール２００内の非揮発性メモリにプログラムまたは記憶され得る。モニタリングシステム１００は、測定されたワイヤリングターミナル値の所定の値との比較を実行するモニタリングユニット１１０のマイクロプロセッサ１１２とともに説明されているが、その動作はＩＯモジュール２００でまたはワイヤリング検知モジュール２５０内で実行され得ることが理解されよう。
【００２１】
マイクロプロセッサ１１２が測定されたワイヤリングターミナル値を構成されたものとしての特定の入力チャネルの所定のワイヤリングターミナル値と比較するときにこれらの条件のうちの１つまたは複数が満たされない場合、モニタリングユニット１１０は、そのディスプレイを使用して警報（たとえば、エラーメッセージまたは点滅するＬＥＤ）を表示すること、または可聴デバイス（たとえば、スピーカ）を使用して警報を生成して技術者にワイヤリングまたは構成エラーを通知することができる。別法として、これらの条件の各々が満たされる場合、モニタリングユニット１１０は、確認メッセージを表示して技術者にそのワイヤリングおよび構成が正しいことを通知することができる。
【００２２】
図３は、入力／出力モジュール２００の第１の入力チャネルのワイヤリングターミナルブロック２１０の１セットのワイヤリングターミナル２１１〜２１４に配線された第１のトランスジューサ１６１を有するモニタリングシステム１００内の不適切なワイヤリングまたは構成を検知するための例示的方法３００の流れ図である。例示的方法３００のステップは、図３に示すものとは異なる順序で実行され得ることが理解されよう。ステップ３１０で、モニタリングユニット１１０は、第１のトランスジューサを監視するように構成され、そのモニタリングユニットの構成は、入力／出力モジュールの第１のチャネルで監視されることになるトランスジューサのタイプを備える。ステップ３１０の前または後のいずれかに、ステップ３２０で、ワイヤリング検知モジュール２５０が、第１のセットのワイヤリングターミナル２１２から受信された電気信号の電気特性の値を測定する。ステップ３３０で、モニタリングユニット１１０のマイクロプロセッサ１１２は、第１のセットのワイヤリングターミナル２１２から受信された電気信号の電気特性の値をその電気特性の所定の値または値域と比較し、その電気特性の所定の値または値域は、第１のトランスジューサ１６１が入力／出力モジュール２００の第１のチャネルでモニタリングユニット１１０によって監視されるように構成されたタイプのトランスジューサであるならば第１のセットのワイヤリングターミナル２１２から受信される電気信号に予期されるであろう値または値域に基づく。ステップ３４０で、第１のセットのワイヤリングターミナル２１２から受信された電気信号の電気特性の値がその電気特性の所定の値と同等でないまたはその電気特性の所定の値域外にある場合、モニタリングユニット１１０は、視覚または可聴の警報を生成してワイヤリングまたは構成におけるエラーを技術者に通知する。第１のセットのワイヤリングターミナル２１２から受信された電気信号の電気特性の値がその電気特性の所定の値と同等であるまたはその電気特性の所定の値域内にある場合、モニタリングユニット１１０は、ワイヤリング確認指示（たとえば、緑色のＬＥＤ光）を生成して技術者にそのワイヤリングおよび構成が正しいことを通知する。
【００２３】
前述を考慮して、モニタリングシステムにおいて入力／出力モジュールへのトランスジューサの不適切なワイヤリングを検知するための本システムおよび方法の実施形態は、トランスジューサが不適切に配線されているという指示を技術者に提供する。その技術的効果は、設置過程においてトランスジューサの誤ったワイヤリングを早期に検知することによって、トランスジューサモニタリングシステムを設置する速度および精度を上げることである。
【００２４】
当業者には理解されるように、本発明の態様は、システム、方法、またはコンピュータプログラム製品として実施され得る。したがって、本発明の態様は、完全にハードウェアの実施形態、完全にソフトウェアの実施形態（ファームウェア、常駐ソフトウェア、マイクロコードなどを含む）、または、ソフトウェアおよびハードウェア態様を組み合わせた実施形態の形を取ることができ、これらすべては本明細書において、一般に、「サービス」、「回路」、「回路素子」、「モジュール」、および／または、「システム」と称され得る。さらに、本発明の態様は、そこに実施されたコンピュータ可読プログラムコードを有する１つまたは複数のコンピュータ可読媒体内に実施されたコンピュータプログラム製品の形を取り得る。
【００２５】
１つまたは複数のコンピュータ可読媒体の任意の組合せが使用され得る。そのコンピュータ可読媒体は、コンピュータ可読信号媒体またはコンピュータ可読ストレージ媒体でもよい。コンピュータ可読ストレージ媒体は、たとえば、電子、磁気、光、電磁気、赤外線または半導体のシステム、装置またはデバイス、あるいは前記の任意の適切な組合せでもよいがこれらに限定されない。コンピュータ可読ストレージ媒体のさらに具体的な例（非包括的リスト）は、以下を含むことになろう：１つまたは複数のワイヤを有する電気接続、携帯用コンピュータディスケット、ハードディスク、ランダムアクセスメモリ（ＲＡＭ）、読取り専用メモリ（ＲＯＭ）、消去可能プログラム可能読取り専用メモリ（ＥＰＲＯＭまたはフラッシュメモリ）、光ファイバ、携帯用コンパクトディスク読取り専用メモリ（ＣＤ−ＲＯＭ）、光ストレージデバイス、磁気ストレージデバイス、または前述の任意の適切な組合せ。本明細書に関連して、コンピュータ可読ストレージ媒体は、命令実行システム、装置またはデバイスによる使用のためのまたはそれらに関するプログラムを含むまたは記憶することができる任意の有形的表現媒体でもよい。
【００２６】
コンピュータ可読媒体上に実施されたプログラムコードおよび／または実行可能命令は、ワイヤレス、ワイヤライン、光ファイバケーブル、ＲＦなど、または前記の任意の適切な組合せを含むがこれらに限定されない、任意の適切な媒体を使用し、送信することができる。
【００２７】
本発明の態様のための動作を実行するコンピュータプログラムコードは、Ｊａｖａ(登録商標）、Ｓｍａｌｌｔａｌｋ、Ｃ＋＋または同様のものなどのオブジェクト指向のプログラミング言語と「Ｃ」プログラミング言語または同様のプログラミング言語などの従来の手続き型プログラミング言語とを含む１つまたは複数のプログラミング言語の任意の組合せで書くことができる。そのプログラムコードは、完全にユーザのコンピュータ（デバイス）で、部分的にユーザのコンピュータで、独立型ソフトウェアパッケージとして、部分的にユーザのコンピュータでそして部分的に遠隔コンピュータで、あるいは、完全に遠隔コンピュータまたはサーバで実行することができる。後者のシナリオでは、遠隔コンピュータは、ローカルエリアネットワーク（ＬＡＮ）もしくはワイドエリアネットワーク（ＷＡＮ）を含む任意のタイプのネットワークを介してユーザのコンピュータに接続可能であり、または、その接続は外部コンピュータに行うことができる（たとえば、インターネットサービスプロバイダを使用してインターネットを介して）。
【００２８】
本発明の態様は、本発明の実施形態による方法、装置（システム）およびコンピュータプログラム製品の流れ図および／またはブロック図を参照して、本明細書で説明される。流れ図および／またはブロック図の各ブロックと、流れ図および／またはブロック図内のブロックの組合せは、コンピュータプログラム命令によって実装され得ることが理解されよう。コンピュータまたは他のプログラム可能データ処理装置のプロセッサを介して実行する命令がその流れ図および／またはブロック図の１つまたは複数のブロックに指定された機能／動作を実装するための手段を作成するように、これらのコンピュータプログラム命令は、汎用コンピュータ、専用コンピュータ、または機械を形成するための他のプログラム可能データ処理装置のプロセッサに提供され得る。
【００２９】
これらのコンピュータプログラム命令はまた、そのコンピュータ可読媒体に記憶された命令が、その流れ図および／またはブロック図の１つまたは複数のブロックに指定された機能／動作を実装する命令を含む製造品を形成するように、コンピュータ、他のプログラム可能データ処理装置または他のデバイスを特定の方式で機能するように導くことができるコンピュータ可読媒体内に記憶され得る。
【００３０】
コンピュータプログラム命令はまた、そのコンピュータまたは他のプログラム可能装置で実行する命令がその流れ図および／またはブロック図の１つまたは複数のブロックに指定された機能／動作を実装するためのプロセスを提供するように、コンピュータ、他のプログラム可能データ処理装置または他のデバイスにロードされて一連の動作ステップをそのコンピュータ、他のプログラム可能装置または他のデバイスで実行させてコンピュータ実装プロセスを形成することができる。
【００３１】
本明細書は、最善の形態を含めて、本発明を開示するために、そしてまた、任意のデバイスまたはシステムを作成および使用することと任意の組み込まれた方法を実行することとを含めて、当業者が本発明を実施できるようにするために、例を使用する。本発明の特許性のある範囲は、本特許請求の範囲によって定義され、当業者に思い当たる他の例を含み得る。そのような他の例は、それらが本特許請求の範囲の文字通りの言語と異ならない構造的要素を有する場合、またはそれらが本特許請求の範囲の文字通りの言語とごくわずかな差異を有する同等の構造的要素を含む場合、本特許請求の範囲内にあるものとする。
【符号の説明】
【００３２】
１０  資産
１００  モニタリングシステム
１１０  モニタリングユニット
１１２  マイクロプロセッサ
１２０  バックプレーン
１４０  バス
１４０ａ  第１のセクション
１４０ｂ  第２のセクション
１４２  データ入力線
１４４  デバイス選択線
１４６  クロック線
１４８  データ出力線
１６０  ラック
１６１  第１のトランスジューサ
１６２  第２のトランスジューサ
１６３  第３のトランスジューサ
１６４  第４のトランスジューサ
１７１  第１のトランスジューサのワイヤリング
１７２  第２のトランスジューサのワイヤリング
１７３  第３のトランスジューサのワイヤリング
１７４  第４のトランスジューサのワイヤリング
２００  ＩＯモジュール
２１０  第１の入力チャネルのワイヤリングターミナルブロック
２１１  第１のトランスジューサタイプのワイヤリングターミナル
２１２  第２のトランスジューサタイプのワイヤリングターミナル
２１３  第３のトランスジューサタイプのワイヤリングターミナル
２１４  第４のトランスジューサタイプのワイヤリングターミナル
２２０  第２の入力チャネルのワイヤリングターミナルブロック
２２１  第１のトランスジューサタイプのワイヤリングターミナル
２２２  第２のトランスジューサタイプのワイヤリングターミナル
２２３  第３のトランスジューサタイプのワイヤリングターミナル
２２４  第４のトランスジューサタイプのワイヤリングターミナル
２３０  第３の入力チャネルのワイヤリングターミナルブロック
２３１  第１のトランスジューサタイプのワイヤリングターミナル
２３２  第２のトランスジューサタイプのワイヤリングターミナル
２３３  第３のトランスジューサタイプのワイヤリングターミナル
２４０  第４の入力チャネルのワイヤリングターミナル
２４１  第１のトランスジューサタイプのワイヤリングターミナル
２４２  第２のトランスジューサタイプのワイヤリングターミナル
２４３  第３のトランスジューサタイプのワイヤリングターミナル
２４４  第４のトランスジューサタイプのワイヤリングターミナル
２５０  ワイヤリング検知モジュール
２５２  ワイヤリング検知回路
２５４  ワイヤリング検知センサ
２６１  第１のトランスジューサタイプ回路
２６２  第２のトランスジューサタイプ回路
２６３  第３のトランスジューサタイプ回路
２６４  第４のトランスジューサタイプ回路
３１０  モニタリングユニットを構成する
３２０  電気特性の値を測定する
３３０  測定された値を１つまたは複数の所定の値と比較する
３４０  警報または確認を生成する
【図１】
2013195425.tif 000003
【図２】
2013195425.tif 000004
【図３】
2013195425.tif 000005